(57)【要約】      （修正有）【課題】毛髪を所望の状態で好適に乾燥することができ、さらには所望の毛髪のくせづけを行うことのできるヘアドライヤーを提供する。【解決手段】ヘアドライヤーは、一端が吸引手段に接続され、他端が毛髪を吸い込む毛髪吸込み口１０１として設けられたホース１００を有することを特徴とする。該ホース１００は、吸引手段に接続される毛髪収容路１１０と温風供給手段に接続される温風供給路１２０とが区画壁１０５によって区画され、該区画壁１０５が毛髪吸込み口１０１付近において温風通風路１０５ａが設けられていることが好ましい。【選択図】図２
0003146064.tif 000002
【実用新案登録請求の範囲】
【請求項１】
一端が吸引手段に接続されてなり、他端が毛髪を吸い込む毛髪吸込み口として設けられてなるホースを有することを特徴とするヘアドライヤー。
【請求項２】
前記ホースは、可撓性を有する部材から構成されていることを特徴とする請求項１記載のヘアドライヤー。
【請求項３】
前記ホースは、前記吸引手段に接続されるとともに毛髪が吸い込まれる毛髪収容路と、温風供給手段に接続される温風供給路とを備え、
前記ホースの毛髪吸込み口付近において、前記温風供給路と前記毛髪収容路とが連通されていることを特徴とする請求項１または２記載のヘアドライヤー。
【請求項４】
前記ホースは、前記毛髪収容路の外周側に、前記温風供給路が区画壁によって区分けされて配されており、
該区画壁には、前記ホースの毛髪吸込み口付近において、温風通風口が設けられており、該温風通風口により前記温風供給路と前記毛髪収容路とが連通されていることを特徴とする請求項３記載のヘアドライヤー。
【請求項５】
前記ホースの外周には、断熱手段が設けられていることを特徴とする請求項４記載のヘアドライヤー。
【考案の詳細な説明】
【技術分野】
【０００１】
本考案は、毛髪を乾燥するためのヘアドライヤーに関するものであり、より詳しくは、たとえば容易に毛髪にくせづけできるヘアドライヤーに適したものである。
【背景技術】
【０００２】
従来のヘアドライヤーにあっては、吹出し口から吹出される温冷風により毛髪をとかしつつ、ヘアブラシなどで毛髪にくせづけすることによって、所望の髪型を得ている。しかるに、かかるヘアドライヤーによって、個人が自分自身で毛髪にくせづけを行うことは困難であった。
【０００３】
また、この種、毛髪にくせづけ（たとえばカール等）を行うにあって、ヘアドライヤー以外には、ホットカーラー等のカーラーや、ヘアアイロンや、カールアイロン等によって、毛髪に熱を与えて、毛髪にくせづけるものも存在する。しかるに、これらは毛髪に過度の熱を与えることがあり、これによって毛髪に傷みが生ずるおそれがあり、個人が自分自身で毛髪にくせづけを行うことは困難であり、一定範囲での毛髪へのくせづけができたとしても、美容師が行うような自然な仕上がりを行うことは極めて困難である。
【０００４】
この種のヘアドライヤーとしては、特開２００５−１７７２３４がある（特許文献１）。
【０００５】
【特許文献１】特開２００５−１７７２３４
【考案の開示】
【考案が解決しようとする課題】
【０００６】
そこで、本考案の第一の課題は、毛髪を所望の状態で好適に乾燥することができるヘアドライヤーを提供することにある。また、本考案の第二の課題は、所望の毛髪のくせづけを行うことのできるヘアドライヤーを提供することにある。
【課題を解決するための手段】
【０００７】
上記問題を解決するために、本願考案に係るヘアドライヤーは、一端が吸引手段に接続されてなり、他端が毛髪を吸い込む毛髪吸込み口として設けられてなるホースを有することを特徴とする。
【０００８】
上記構成からなる本願考案にあっては、吸引手段を駆動して、ホースの毛髪吸引口からホースの内部に毛髪を吸い込むことによって、吸引手段の吸引の風によってホース内部の毛髪を乾燥することができる。
【０００９】
また、本願考案に係るヘアドライヤーにあっては、ホースが、可撓性を有する部材から構成されていることが好ましい。
【００１０】
これにより、毛髪が所望の形状に捩られたホース内部で乾燥されるため、毛髪を所望の形状にくせづけを行うことができる。たとえば、ホースを、ストレート、上向き、下向き、横向き等と所望の角度にすることによって、その角度に毛髪をくせづけすることができ、このため、毛髪のボリュームアップ、ボリュームダウンを行うことができる。
【００１１】
また、本願考案に係るヘアドライヤーにあっては、ホースが、吸引手段に接続されるとともに毛髪が吸い込まれる毛髪収容路と、温風供給手段に接続される温風供給路とを備え、ホースの毛髪吸込み口付近において、前記温風供給路と前記毛髪収容路とが連通されている構成を採用することが好ましい。
【００１２】
これにより、前記毛髪収容路に吸引された毛髪に、温風供給手段による温風を供給しつつ、毛髪を乾燥させることができる。特に、ホースを捩って乾燥させる場合には、より確実に所望の形状に毛髪をくせづけすることができる。
【００１３】
また、上記構成からなるヘアドライヤーは、ホースが、毛髪収容路の外周側に、前記温風供給路が区画壁によって区分けされて配されており、該区画壁には、前記ホースの毛髪吸込み口付近において、温風通風口が設けられており、該温風通風口により前記温風供給路と前記毛髪収容路とが連通されている構成を採用することによって実現可能である。これにより、温風供給路から温風通風口を介して前記毛髪収容路に供給することができる。
【００１４】
また、上記構成からなるヘアドライヤーにあっては、ホースの外周に、断熱手段が設けられていることが好ましく、これにより、温風供給手段からの温風が高熱であっても、ホースを容易に把持することができる。
【考案を実施するための最良の形態】
【００１５】
以下、本願考案の実施の形態について図面を参酌しつつ説明する。
なお、図１は本考案の実施の形態に係るヘアドライヤーを説明するための概略的説明図、図２は本考案の実施の形態に係るヘアドライヤーのホースを説明するための概略的断面図、図３は本考案の実施の形態に係るヘアドライヤーのホースの区画壁を説明するための概略的説明図、図４は本考案の実施の形態に係るヘアドライヤーのホースを説明するための概略的断面図である。
【００１６】
本実施形態のヘアドライヤーは、送風供給口および吸気口を備えてなる送風吸気装置２００と、一端が該送風吸気装置２００（吸引手段および温風供給手段）に接続されるとともに他端において毛髪を吸込む毛髪吸込み口１０１として機能するホース１００とを備えている。なお、前記ホース１００の毛髪吸込み口１０１には、ブラシ状の櫛部材１３０が取付けられている。
【００１７】
また、ホース１００は、前記送風吸気装置２００の吸気口に接続されるとともに毛髪が吸い込まれる毛髪収容路１１０と、送風吸気装置２００の送風供給口に接続される温風供給路１２０とを備えている。具体的には、前記ホース１００は、全体として略筒状に設けられたホース本体１０３と、このホース本体１０３の内部にホース本体１０３と略同心円状の略筒状の区画壁１０５が設けられており、この区画壁１０５の外側が、前記温風供給路１２０として機能し、この区画壁１０５の内側が、前記毛髪収容路１１０として機能するよう設けられている。なお、ホース本体１０３と区画壁１０５とは、長手方向において適宜リブ等により連接されていることが好ましい。
【００１８】
また、前記ホース本体１０３の外周側には、断熱手段としての断熱部材１０７が巻回されており、前記温風供給路１２０の熱が外部に放出され難いように設けられている。また、前記区画壁１０５は、耐熱性のある素材により構成されている。
【００１９】
また、前記ホース本体１０３および区画壁１０５は可撓性を有する合成樹脂等の部材から構成されており、ホース本体１０３および区画壁１０５には、屈曲し易い屈曲部として段部１０３ａ（区画壁１０５の段部については図示省略）が長手方向に順次形成されている。
【００２０】
また、前記区画壁１０５は、ホース１００の毛髪吸込み口１０１付近において、毛髪収容路１１０と前記温風供給路１２０とを連通するための温風通風口１０５ａが穿設されており、温風供給路１２０から供給される温風が毛髪収容路１１０に供給されるように設けられている。なお、該温風通風口１０５ａは、区画壁１０５の先端から約７０ｃｍの位置まで形成されている。
【００２１】
また、前記送風吸気装置２００には、送風供給口に供給する空気を加熱する加熱手段としての電熱線２０１が設けられている。また、送風吸気装置２００には、吸気口に、毛髪やスタイリング剤等を吸引しないためのフィルター２０３が設けられている。
【００２２】
次に、上記実施形態のヘアドライヤーを用いた毛髪加熱方法について説明する。
【００２３】
本実施形態のヘアドライヤーにあっては、まず送風吸気装置２００を駆動させて、被使用者の毛髪をホース１００の毛髪吸込み口１０１より吸込むことにより、毛髪を加熱して乾燥する。この際、毛髪は、送風吸気装置２００の吸気によって毛髪吸込み口１０１から毛髪収容部に吸込まれ、また、送風吸気装置２００において加熱された空気が温風供給路１２０および温風供給口を介して毛髪吸込み口１０１に供給され、毛髪が加熱されることになる。
【００２４】
この毛髪の乾燥に際して、ホース１００を所望の形状（角度）に捩ることによって、その形状に沿って毛髪が乾燥されることにより、所望の毛髪のくせづけを行うことができる。
【００２５】
なお、本願考案は上記実施形態のものに限定されるものではなく、本願考案の意図する範囲内で適宜設計変更可能である。
【００２６】
つまり、上記実施形態においては温風供給路１２０が毛髪収容路１１０の外部に設けられているものについて説明したが、本願考案はこれに限定されるものではなく、たとえば、ホース１００の毛髪吸込み口１０１付近に温風を供給する手段を別途設けることも可能である。さらに、上述のように温風供給路１２０をホース本体１０３と区画壁１０５との間に設ける場合にあっても、図４に示すように、複数の筒体によって温風供給路１２０を形成することも適宜設計変更可能な事項である。
【図面の簡単な説明】
【００２７】
【図１】本考案の実施の形態に係るヘアドライヤーを説明するための概略的説明図である。
【図２】本考案の実施の形態に係るヘアドライヤーのホースを説明するための概略的断面図図である。
【図３】本考案の実施の形態に係るヘアドライヤーのホースの区画壁を説明するための概略的説明図である。
【図４】本考案の実施の形態に係るヘアドライヤーのホースを説明するための概略的断面図である。
【符号の説明】
【００２８】
１００    ホース
１０１    毛髪吸込み口
１０３    ホース本体
１０３ａ  段部（屈曲部）
１０５    区画壁
１０５ａ  温風通風口
１０７    断熱部材
１１０    毛髪収容路
１２０    温風供給路
１３０    櫛部材
２００    送風吸気装置
２０１    電熱線（加熱手段）
２０３    フィルター
【図１】
0003146064.tif 000003
【図２】
0003146064.tif 000004
【図３】
0003146064.tif 000005
【図４】
0003146064.tif 000006